(57)【特許請求の範囲】
【請求項１】
カラーインクを噴射する第１ノズルと、
クリアインクを噴射する第２ノズルと、
を備え、光輝性層が形成された媒体に画像を形成する際に、前記光輝性層上に前記第１ノズルから前記カラーインクを噴射させ、前記カラーインク上に前記第２ノズルから前記クリアインクを噴射させるように制御する制御部と、
を備える印刷装置であって、
前記制御部は、前記カラーインクの光吸収率に応じて当該カラーインク上に噴射される前記クリアインクの量を異ならせるように前記第２ノズルからのインクの噴射を制御し、
第１の光吸収率を有するカラーインク上には前記第２ノズルから第１の量のクリアインクを噴射させ、
前記第１の光吸収率よりも低い第２の光吸収率を有するカラーインク上には前記第２ノズルから前記第１の量よりも多い第２の量のクリアインクを噴射させるように制御することを特徴とする印刷装置。
【請求項２】
請求項１に記載の印刷装置であって、
さらに、光輝性インクを噴射する第３ノズルを備え、
前記制御部は、前記第３ノズルから前記光輝性インクを噴射させ前記光輝性インク層を形成することを特徴とする印刷装置。
【請求項３】
請求項１又は２に記載の印刷装置であって、
前記制御部は、前記第２の光吸収率を有するカラーインク上において、前記第２の光吸収率を有するカラーインク上に着弾した他のクリアインクと一体化するように前記第２ノズルからの前記クリアインクの噴射を制御することを特徴とする印刷装置。
【請求項４】
請求項１又は２に記載の印刷装置であって、
前記制御部は、前記第１の光吸収率を有するカラーインク上において、前記第１の光吸収率を有するカラーインク上に着弾した他のクリアインクと離間するように前記第２ノズルからの前記クリアインクの噴射を制御することを特徴とする印刷装置。
【請求項５】
請求項１〜４のいずれかに記載の印刷装置であって、
前記クリアインクは照射される光により硬化するインクであり、
前記クリアインクを硬化させる光を照射する照射部を備える、
ことを特徴とする印刷装置。
【請求項６】
光輝性層が形成された媒体において前記光輝性層上にカラーインクを噴射する工程と、
前記カラーインク上にクリアインクを噴射する工程と、
を含む印刷方法であって、
前記クリアインクを噴射する工程では、
前記カラーインクの光吸収率に応じて当該カラーインク上に噴射される前記クリアインクの量が異ならされ、
第１の光吸収率を有するカラーインク上には第１の量のクリアインクを噴射し、
前記第１の光吸収率よりも低い第２の光吸収率を有するカラーインク上には前記第１の量よりも多い第２の量のクリアインクを噴射することを特徴とする印刷方法。
【請求項７】
光輝性層が形成された媒体において、前記光輝性層上の第１の光吸収率を有するカラーインク上には、第１の量のクリアインクが備えられ、前記光輝性層上の前記第１の光吸収率よりも低い第２の光吸収率を有するカラーインク上には、前記第１の量よりも多い第２の量のクリアインクが備えられたことを特徴とする印刷物。
【発明の詳細な説明】
【技術分野】
【０００１】
本発明は、印刷装置、印刷方法、及び、印刷物に関する。
【背景技術】
【０００２】
インクを噴射して画像を形成するインクジェット式のプリンターが多く利用されている。このようなインクジェット式のプリンターでは、媒体にメタリックインクとカラーインクを噴射して、メタリック調の印刷を行う印刷形態も考えられる。  
特許文献１には、複数色で印刷された印刷部の少なくとも一色を潜像印刷部とし、潜像印刷部が他の印刷部より正反射量が多くなるように印刷されている印刷物を提供することが示されている。特許文献２には、凹凸パターン中に光を正反射する平坦化部を形成し、これをカラーコピーした場合、平坦化部が黒色として現れることが示されている。また、特許文献３には、下地のメタリック上にカラーを印刷するが、カラーはメタリックの全部を覆うことがないことが示されている。  
特許文献４には、液滴の一体化の程度を制御することで、光沢度を変更する。特許文献５には、カラーインクの量に基づいてクリアインクの量を調整することが示されている。特許文献６には、有色インクの吐出量に基づいて改善インクの量を調整することが示されている。
【先行技術文献】
【特許文献】
【０００３】
【特許文献１】特開２００４−１２２５０５号公報
【特許文献２】特開平８−１５０８００号公報
【特許文献３】特開平１０−８５０号公報
【特許文献４】特開２００４−１２２４９６号公報
【特許文献５】特開２０１１−３７０１５号公報
【特許文献６】特開２００４−１４１０号公報
【発明の概要】
【発明が解決しようとする課題】
【０００４】
複写機は、拡散反射光による色を検出することによって複写を行う。メタリック層などの光輝性層上にカラーインクを噴射して画像を形成する場合を考える。光輝性層上にカラーインクが存在しない場合、ほとんどの入射光は正反射光となり、複写機は拡散反射光を検出できない。その結果、この部分は黒色の複写がされる。また、光輝性層上に光吸収率の高いインクで画像が形成された場合、反射光量が少ないため拡散反射光量も少なく、この部分も黒色に近い色として複写される。一方、光輝性層上に光吸収率の低いインクで画像が形成された場合、拡散反射光が多いため、この部分については適切にカラー複写を行える。  
しかしながら、セキュリティの関係上、カラー複写を困難にしたい場合も考えられる。すなわち、複写が困難な印刷物を提供することが望まれる。  
本発明は、このような事情に鑑みてなされたものであり、複写が困難な印刷物を提供することを目的とする。
【課題を解決するための手段】
【０００５】
上記目的を達成するための主たる発明は、
カラーインクを噴射する第１ノズルと、
クリアインクを噴射する第２ノズルと、
を備え、光輝性層が形成された媒体に画像を形成する際に、前記光輝性層上に前記第１ノズルから前記カラーインクを噴射させ、前記カラーインク上に前記第２ノズルから前記クリアインクを噴射させるように制御する制御部と、
を備える印刷装置であって、
前記制御部は、前記カラーインクの光吸収率に応じて当該カラーインク上に噴射される前記クリアインクの量を異ならせるように前記第２ノズルからのインクの噴射を制御し、
第１の光吸収率を有するカラーインク上には前記第２ノズルから第１の量のクリアインクを噴射させ、
前記第１の光吸収率よりも低い第２の光吸収率を有するカラーインク上には前記第２ノズルから前記第１の量よりも多い第２の量のクリアインクを噴射させるように制御することを特徴とする印刷装置である。
【０００６】
本発明の他の特徴については、本明細書及び添付図面の記載により明らかにする。
【図面の簡単な説明】
【０００７】
【図１】本実施形態における印刷システム１００のブロック図である。
【図２】本実施形態におけるインクジェットプリンター１の斜視図である。
【図３】本実施形態におけるインクジェットプリンター１の内部側面図である。
【図４】ヘッド４１の構造を説明する断面図である。
【図５】ヘッド４１のノズルの説明図である。
【図６】複写装置における読み取り機構の説明図である。
【図７】反射光と拡散光の説明図である。
【図８】本実施形態における印刷物の断面図である。
【図９】図９Ａは、イエローインクＹとクリアインクＣｌによる反射光の説明図であり、図９Ｂは、シアンインクＣとクリアインクＣｌによる反射光の説明図である。
【図１０】本実施形態における印刷方法のフローチャートである。
【発明を実施するための形態】
【０００８】
本明細書及び添付図面の記載により、少なくとも、以下の事項が明らかとなる。すなわち、
カラーインクを噴射する第１ノズルと、
クリアインクを噴射する第２ノズルと、
を備え、光輝性層が形成された媒体に画像を形成する際に、前記光輝性層上に前記第１ノズルから前記カラーインクを噴射させ、前記カラーインク上に前記第２ノズルから前記クリアインクを噴射させるように制御する制御部と、
を備える印刷装置であって、
前記制御部は、前記カラーインクの光吸収率に応じて当該カラーインク上に噴射される前記クリアインクの量を異ならせるように前記第２ノズルからのインクの噴射を制御することを特徴とする、印刷装置である。  
このようにすることで、カラーインクの光吸収率に応じて、その上に噴射されるクリアインクの量を異ならせることができるので、光の吸収率が低いカラーインクの場合にクリアインクの量を調整し正反射光量を増加させて、複写を困難にすることができる。そして、複写が困難な印刷物を提供することができる。
【０００９】
かかる印刷装置であって、さらに、光輝性インクを噴射する第３ノズルを備え、前記制御部は、前記第３ノズルから前記光輝性インクを噴射させ前記光輝性インク層を形成することが望ましい。  
このようにすることで、光輝性インク層を印刷装置が形成することができる。
【００１０】
また、前記制御部は、第１の光吸収率を有するカラーインク上には前記第２ノズルから第１の量のクリアインクを噴射させ、前記第１の光吸収率よりも低い第２の光吸収率を有するカラーインク上には前記第２ノズルから前記第１の量よりも多い第２の量のクリアインクを噴射させるように制御することが望ましい。  
光吸収率が低いカラーインクの場合には、拡散反射光量が多いためカラーの複写を行いやすいが、光吸収率が低いカラーインク上に多くのクリアインクを噴射することによって、正反射光量を増加させて、複写を困難にすることができる。
【００１１】
また、前記制御部は、前記第２の光吸収率を有するカラーインク上において、前記第２の光吸収率を有するカラーインク上に着弾した他のクリアインクと一体化するように前記第２ノズルからの前記クリアインクの噴射を制御することが望ましい。  
このようにすることで、光吸収率が低いカラーインク上には、着弾したクリアインク同士が一体化するほどの多いクリアインク量を噴射することで、表面をレベリング（平坦化）して正反射量を増加させることができる。そして、カラーインクで形成された画像の複写を困難にすることができる。
【００１２】
また、前記制御部は、前記第１の光吸収率を有するカラーインク上において、前記第１の光吸収率を有するカラーインク上に着弾した他のクリアインクと離間するように前記第２ノズルからの前記クリアインクの噴射を制御することが望ましい。  
このようにすることで、光吸収率が高いカラーインク上には、離間する程度にクリアインクを噴射して、正反射光量を調整することができる。
【００１３】
また、前記クリアインクは照射される光により硬化するインクであり、
前記クリアインクを硬化させる光を照射する照射部を備える、ことが望ましい。  
このようにすることで、クリアインクが硬化するタイミングを制御することができる。そして、着弾したクリアインクがレベリング（平坦化）される度合いを調整することができる。
【００１４】
また、本明細書及び添付図面の記載により、少なくとも、以下の事項も明らかとなる。すなわち、
光輝性層が形成された媒体において前記光輝性層上にカラーインクを噴射する工程と、
前記カラーインク上にクリアインクを噴射する工程と、
を含む印刷方法であって、
前記カラーインクの光吸収率に応じて当該カラーインク上に噴射される前記クリアインクの量が異ならされることを特徴とする印刷方法である。  
このようにすることで、カラーインクの光吸収率に応じて、その上に噴射されるクリアインクの量を異ならせることができるので、光の吸収率が低いカラーインクの場合にクリアインクの量を調整し正反射光量を増加させて、複写を困難にすることができる。そして、複写が困難な印刷物を提供することができる。
【００１５】
また、本明細書及び添付図面の記載により、少なくとも、以下の事項も明らかとなる。すなわち、
光輝性層が形成された媒体において前記光輝性層上にカラーインクが噴射され、前記カラーインク上にクリアインクが噴射され、前記カラーインクの光吸収率に応じて当該カラーインク上に噴射される前記クリアインクの量が異ならされたことを特徴とする印刷物である。  
このようにすることで、カラーインクの光吸収率に応じて、その上に噴射されるクリアインクの量を異ならせることができるので、光の吸収率が低いカラーインクの場合にクリアインクの量を調整し正反射光量を増加させて、複写を困難にすることができる。そして、複写が困難な印刷物を提供することができる。
【００１６】
＝＝＝実施形態＝＝＝
図１は、本実施形態における印刷システム１００のブロック図である。以下、これらを参照しつつ、本実施形態における印刷システム１００の概略構成について説明する。
【００１７】
印刷システム１００は、印刷装置としてのインクジェットプリンター１（以下、単に「プリンター１」ということがある）とコンピューター１１０と、表示装置１２０と、入力装置１３０とを有している。プリンター１は、用紙、布、フィルム等の媒体に画像を印刷する。コンピューター１１０は、インターフェース１１２を介してプリンター１と通信可能に接続されている。そして、プリンター１に画像を印刷させるため、コンピューター１１０は、その画像に応じた印刷データをプリンター１に出力する。このコンピューター１１０は、ＣＰＵ１１３、メモリ１１４、インターフェース１１２、及び、記録再生装置１４０を備える。そして、アプリケーションプログラムやプリンタドライバ等のコンピュータープログラムがインストールされている。記録再生装置１４０は、例えば、フレキシブルディスクドライブ装置やＣＤ−ＲＯＭドライブ装置である。
【００１８】
表示装置１２０は、例えば液晶モニタである。この表示装置１２０は、例えば、コンピュータープログラムのユーザーインタフェースを表示するためのものである。入力装置１３０は、例えば、キーボードやマウスである。
【００１９】
インクジェットプリンター１は、用紙搬送ユニット２０、記録ユニット４０、制御ユニット５１、及び、駆動信号生成ユニット５２を含む。用紙搬送ユニット２０は、ロール紙Ｒから媒体を記録ユニット４０に供給し、印刷後の媒体を排出する。記録ユニット４０は、後述するように、ヘッド４１を搭載するキャリッジ４３を移動させ、ヘッド４１からインクを噴射して媒体に画像形成を行う。
【００２０】
また、インクジェットプリンター１は、上記各構成機器の動作を統括的に制御する制御ユニット５１を備える。制御ユニット５１は、演算等を行うＣＰＵ５１ａ、プログラム及び演算結果等を記憶するメモリ５１ｂ、及び、外部装置と通信を行うインターフェース５１ｃを備える。制御ユニット５１は、用紙搬送ユニット２０、記録ユニット４０、及び、駆動信号生成回路５２を制御する。
【００２１】
駆動信号生成ユニット５２は、記録ユニット４０のヘッド４１の各ピエゾ素子ＰＺＴ（後述）に駆動信号ＣＯＭを供給する。駆動信号生成ユニット５２には、制御ユニット５１から駆動信号の形状を規定するデジタルデータが送られ、これらデジタルデータに基づいて電圧波形である駆動信号ＣＯＭを生成する。
【００２２】
図２は、本実施形態におけるインクジェットプリンター１の斜視図である。図３は、本実施形態におけるインクジェットプリンター１の内部側面図である。以下の説明では、媒体の搬送方向（排出方向）をＸ軸方向と、Ｘ軸方向と直交する搬送路２６の幅方向（図３において紙面垂直方向）をＹ軸方向と、Ｘ軸方向及びＹ軸方向と直交する鉛直方向をＺ軸方向と称して説明する場合がある。
【００２３】
図２に示すように、このインクジェットプリンター１は、長手方向が水平に配置された記録ユニット４０と、記録ユニット４０の端部に装着された筐体９０と、記録ユニット４０の上側に装着された装填部１０と、記録ユニット４０および筐体９０を下方から支持する脚部７０とを備える。
【００２４】
記録ユニット４０は、搬送路２６に沿って搬送されてくる媒体に対してインクを噴射するヘッド４１を備える。ヘッド４１は、搬送路２６の幅方向に移動自在なキャリッジ４３に搭載されている。プリンター１には、インクを貯留する不図示のインクカートリッジが装着される。ヘッド４１には、これらインクカートリッジから各色のインクが供給される。ヘッド４１は、複数のノズル列を備え、各ノズル列から所定の色（例えば、イエロー（Ｙ）、マゼンタ（Ｍ）、シアン（Ｃ）、ブラック（Ｋ）、クリア（Ｃｌ）、メタリック（Ｍｅ））のインクをそれぞれ噴射可能な構成となっている。ヘッド４１は、媒体の記録面に対してインクを噴射することにより所定の画像や文字等の情報を記録する画像形成を実施する。
【００２５】
記録ユニット４０にて画像形成を施された媒体は、排出ローラー２４から排出される。排出ローラー２４は、紙種によってニップするローラーを、ギザローラー２５ａあるいはコロローラー２５ｂに切り替える機構を備える。
【００２６】
排出ローラー２４の下流側には、排出された媒体を所定サイズにせん断するカッター装置６１が設けられている。カッター装置６１は、排出された媒体の高さ位置を規制する規制部材６２と、媒体の排出方向（Ｘ軸方向）と直交する幅方向（Ｙ軸方向）に移動して媒体をせん断するカッターユニット６３とを有する。
【００２７】
筐体９０の上面には、操作パネル８０が配置される。操作パネル８０は、ユーザが操作する複数のスイッチ８２の他、プリンター１の動作状態を示す表示部８４も含む。従って、ユーザは、操作パネル８０およびカートリッジホルダが配置された側を前面として、この前面側からプリンター１を操作する。
【００２８】
図４は、ヘッド４１の構造を説明する断面図である。ヘッド４１には、流路４１６が形成され、インクはこの流路４１６を通じて供給される。ヘッド４１のケース４１１には、接着用基板４１２が固定されている。この接着用基板４１２は、矩形状の板であり、さらに一方の表面にピエゾ素子ＰＺＴが接着されている。ピエゾ素子ＰＺＴの先端にはアイランド部４１３が接合され、このアイランド部４１３の周囲には、弾性膜４１４による弾性領域が形成されている。
【００２９】
ピエゾ素子ＰＺＴは、対向する電極間に電位差を与えることにより変形する。この例では、素子の長手方向に伸縮する。この伸縮量は、ピエゾ素子ＰＺＴの電位に応じて定まる。そして、ピエゾ素子ＰＺＴが伸縮すると、アイランド部４１３は圧力室４１５側に押されたり、反対方向に引かれたりする。このとき、アイランド部周辺の弾性膜４１４が変形するので、ノズルＮｚからインクを効率よく噴射させることができる。
【００３０】
このような構造とすることで、ピエゾ素子ＰＺＴに印加される駆動信号の振幅を調整することにより複数のサイズのインクを噴射することができる。これにより、インクの噴射量（噴射デューティ）を適切に制御することができる。
【００３１】
図５は、ヘッド４１のノズルの説明図である。本実施形態におけるヘッド４１からは、イエローインクＹ、マゼンタインクＭ、シアンインクＣ、ブラックインクＫ、メタリックインクＭｅ、及び、クリアインクＣｌの６種類のインクが噴射可能である。クリアインクＣｌは、透明、又は、半透明のインクである。なお、イエローインクＹ、マゼンタインクＭ、シアンインクＣ、及び、ブラックインクＫをカラーインクＣｏと呼ぶことがある。
【００３２】
メタリックインクＭｅについて説明する。メタリックインクＭｅは、金属顔料（メタリック顔料）と有機溶剤を含有する。メタリック顔料は、金属光沢等の機能を有するものであれば特に限定されないが、アルミニウム又はアルミニウム合金、あるいは、銀又は銀合金であることが望ましい。メタリックインクは光輝性インクに含まれる。ここで、光輝性とは、光を鏡面反射する表面特性を有するものである。なお、光輝性インクは、含有される顔料が上記のような金属顔料には限られず、金属光沢等の表面特性を発揮するインクであればよい。また、後の説明に登場する「光輝性層」は、光を鏡面反射する表面特性を有する層を意味する。
【００３３】
クリアインクノズル列ＮｃｌからのクリアインクＣｌの噴射、カラーインクのノズル列からのカラーインクＣｏの噴射、及び、メタリックインクノズル列Ｎｍｅのノズルからのメタリックインクの噴射は、前述の制御ユニット５１（制御部に相当する）によって制御される。
【００３４】
図には、６つのノズル列が示されている。キャリッジ移動方向にヘッド４１が移動させられながら、クリアインクノズル列Ｎｃｌのノズルからクリアインクが噴射される。また、ブラックインクノズル列Ｎｋのノズルからブラックインクが噴射される。また、シアンインクノズル列Ｎｃのノズルからシアンインクが噴射される。また、マゼンタインクノズル列Ｎｍのノズルからマゼンタインクが噴射される。また、イエローインクノズル列Ｎｙのノズルからイエローインクが噴射される。また、メタリックインクノズル列Ｎｍｅのノズルからメタリックインクが噴射される。
【００３５】
このような構成とすることで、メタリックインクＭｅを媒体に噴射し、その上にカラーインクＣｏを噴射することができる。また、さらにその上にクリアインクＣｌを噴射することができる。
【００３６】
図６は、複写装置における読み取り機構の説明図である。スキャナ１０１０は、原稿台１０１１の下側に、キャリッジ１０２１と、キャリッジ１０２１を原稿台１０１１に対して所定の間隔を保ちつつ、図中の矢印のＡ方向（副走査方向）に沿って平行に移動させるキャリッジ移動機構を備えている。
【００３７】
キャリッジ移動機構は、キャリッジ１０２１を支持しつつこの移動を案内するガイド１０２３を含んでいる。また、キャリッジ移動機構は、キャリッジ１０２１に接続されたベルト１０２５と、このベルト１０２５が架け渡されたシャフト１０２４とプーリー１０２７と、シャフト１０２４を回転駆動するための駆動モータ１０２２とを備えている。駆動モータ１０２２は、制御部１０６０からの制御信号によって駆動制御される。
【００３８】
キャリッジ１０２１には、読み取り機構の各部が含まれ、原稿台１０１１を介して原稿１００５に対し光を照射する光源としての露光ランプ１０４５と、原稿１００５により反射された拡散反射光が入射するレンズ１０４６と、このレンズ１０４６を通じてキャリッジ１０２１の内部に取り込まれた拡散反射光を受光するイメージセンサ１０４１とが設けられている。
【００３９】
イメージセンサ１０４１は、光信号を電気信号に変換するフォトダイオード等の光電変換素子が列状に配置されたリニアＣＣＤセンサにより構成されている。イメージセンサ１０４１により読みとられた画像に関するデータは、制御部１０６０に出力される。複写装置は、制御部に入力された拡散反射光のデータに基づいて、用紙などの媒体に複写を行う。
【００４０】
図７は、反射光と拡散光の説明図である。図には、媒体Ｍに入射した入射光が、正反射光（鏡面反射光）及び拡散反射光として反射することが示されている。前述のように、読み取り機構では、露光ランプ１０４５からの入射光が媒体において拡散されることによって反射された拡散反射光がイメージセンサ１０４１によって読み取られる。よって、反射光のうち拡散反射光の割合が適切であれば、媒体の複写は適切に行われる。一方、反射光の正反射光の割合が高く、拡散反射光の割合が低い場合には、拡散反射光量が足りないことから、媒体の複写は適切に行われない。具体的には、拡散反射光量が少ないことから、全体として黒い複写がなされる。
【００４１】
拡散反射光の割合が低く正反射光の割合が高い例としては、メタリック層などの光輝性層の表面が挙げられる。このようなメタリック層の表面では、入射光のほとんどは正反射光となる。このため、これを複写した場合、複写機は拡散反射光を検出できず、結果的に黒っぽい複写が行われることになる。
【００４２】
また、シアンインクのような光の反射量が少ないインクをメタリック層の表面上に印刷した場合、そもそも光の反射量が少ないが、入射光の一部が光輝性表面で反射した場合も正反射光となるため、全体として拡散反射光量は少ない。よって、拡散反射光を検出して複写を行う複写機では黒っぽい複写が行われることになる。
【００４３】
つまり、メタリック層の表面を複写した場合と、メタリック層上におけるシアンインクのような光の吸収率が高いインクを複写した場合では、ともに黒っぽい画像が複写物として出力される。よって、これら両者の区別がつきづらく、結果として適切にコピーできないセキュリティの高い印刷物が提供されることになる。
【００４４】
一方、イエローインクなどは、一般的に光の吸収率が低い。すなわち、光の反射量が多いインクといえる。このようなイエローインクがメタリック層の表面に噴射されている場合、イエローインク自体で光の反射が行われる。イエローインクによる光の反射量は多いものの、正反射光の成分よりも拡散反射光の成分のほうが多い。前述のように、複写機では拡散反射光を検出して複写を行うが、そもそも光の反射量が多いため拡散反射光も多く、下地にメタリックインクを有する場合であっても、複写を行いやすい。すなわち、結果として適切に複写できてしまい、セキュリティの低い印刷物を提供していることになる。
【００４５】
このような状況化において、例えばイエローインクなどのように光吸収率が低いインクをメタリック層上に噴射して画像を形成した場合であっても、複写を行いづらくすることでセキュリティの高い印刷物を提供することが望ましい。以下に示す実施形態では、光吸収率が低いインクを用いた場合であっても、カラーコピーを行いにくくするようにしている。
【００４６】
図８は、本実施形態における印刷物の断面図である。図には、媒体Ｍ（例えば、用紙）にメタリックインクＭｅによるメタリック層が形成されていることが示されている。なお、このメタリック層はメタリックインクＭｅによるものでなくてもよく、光輝性のインクにより予め媒体Ｍに形成されているものであってもよい。
【００４７】
図８では、メタリック層上に、光吸収率が低いインクとして例えばイエローインクＹによる画像が形成されている。また、メタリック層上に、光吸収率が高いインクとして例えばシアンインクＣによる画像が形成されている。
【００４８】
そして、光吸収率が低いインク上にはクリアインクＣｌが多量に噴射され、一方、光吸収率が高いインク上にはクリアインクＣｌが少量噴射されている。このようにすることによって、メタリック層上に形成されたカラー画像の複写を行いにくくしている。以下に、このようにクリアインクが噴射された場合における反射光について説明する。
【００４９】
図９Ａは、イエローインクＹとクリアインクＣｌによる反射光の説明図である。図には、媒体Ｍ上にメタリックインクＭｅの層が形成され、さらにその上にイエローインクＹによる画像が形成されている様子が示されている。また、さらにイエローインクＹ上にクリアインクＣｌがレベリング（平坦化）される程度に噴射されている様子が示されている。
【００５０】
このように、光吸収率が低いインク上に、クリアインクＣｌが多量に噴射されると、クリアインクＣｌの層が形成される。クリアインクＣｌの層は、その表面が平坦であって、かつ、透明なインクにより形成されているので、この層で多くの正反射光が生ずる。そのため、入射した光の多くがクリアインクＣｌの層において正反射させられるので、イエローインクＹの層であっても拡散反射光の量は少なくなり、結果として複写機は拡散反射光を検出しづらくなる。そして、この場合も比較的黒っぽい画像が複写物として出力されるようになる。なお、このような印刷物は、見た目には通常の画像として視認することができる。
【００５１】
図９Ａのようにすることで、イエローインクＹによる画像であっても複写を行いにくくし、仮に複写を行った場合には黒っぽい複写が行われることになる。しかしながら、完全な黒色の複写となることはない。よって、複写物における他のインク色との黒さの程度を一致させることにより絵柄を判別しにくくすることが望ましい。
【００５２】
図９Ｂは、シアンインクＣとクリアインクＣｌによる反射光の説明図である。図には、媒体Ｍ上にメタリックインクＭｅの層が形成され、さらにその上にシアンインクＣによる画像が形成されている様子が示されている。また、さらにシアンインクＣ上にクリアインクＣｌがドット状に形成された様子が示されている。
【００５３】
このように、光吸収率が高いインク上に、クリアインクＣｌが少量噴射されると、クリアインクＣｌによるドットが形成される。クリアインクＣｌによるドットは、その半球状の形状により入射光を拡散反射光にする。
【００５４】
そして、正反射光量と拡散反射光量を調整して、複写されたときにおける黒さの程度を調整することができる。すなわち、各インク色の複写物の黒さの程度を一致させることで、両者の区別をつきにくくして、絵柄が判別できないようにすることができる。そして、より複写を行いにくくすることができる。
【００５５】
上述の実施形態では、説明を簡略化するため、イエローインクＹによる画像と、シアンインクＣによる画像とが、それぞれ分離して形成されていた。しかしながら、複数のカラーインクが混合してカラー画像を形成する場合には、以下のようにして印刷を行うことができる。
【００５６】
図１０は、本実施形態における印刷方法のフローチャートである。本実施形態におけるコンピューター１１０のソフトウェア上では、ＲＧＢ色空間により画像の作成が行われている。コンピューター１１０から印刷指令が送信されると、ＲＧＢ色空間からＹＭＣＫ色空間への色空間変換処理が行われる（Ｓ１０２）。これにより、イエローインクＹ、マゼンタインクＭ、シアンインクＣ、及び、ブラックインクＫの各インク色に分版処理が行われ、媒体に噴射する噴射デューティがインク色毎に求められることになる。
【００５７】
次に、各インク色の単位面積毎の噴射デューティに基づいて、これらのインクによる光吸収率が求められる（Ｓ１０４）。光吸収率は、各インク色の噴射デューティに対する「デューティ−光吸収率変換テーブル」に基づいて求められる。デューティ−光吸収率変換テーブルは、各インク色の噴射デューティに対してその単位面積当たりの光吸収率が対応づけられたテーブルである。例えば、シアンなどの光吸収率の高いインクについては、インクの噴射デューティが低い場合であっても比較的高い光吸収率が対応づけられている。一方、イエローなどの光吸収率の低いインクについては、インクの噴射デューティが高い場合であっても比較的低い光吸収率が対応づけられている。
【００５８】
このようにして、媒体における各単位面積に対する光吸収率が求められると、求められた光吸収率に応じてその単位面積に噴射するクリアインクの噴射デューティが求められる（Ｓ１０６）。クリアインクの噴射デューティは、光吸収率に対する「光吸収率−噴射デューティ変換テーブル」に基づいて求められる。光吸収率−噴射デューティ変換テーブルは、単位面積における光吸収率に対して噴射するべきクリアインクＣｌの量、すなわちクリアインクＣｌの噴射デューティが対応づけられたテーブルである。
【００５９】
前述のように、光吸収率が低いインクの上には多くのクリアインクＣｌが噴射されるため、低い光吸収率に対しては高い噴射デューティが対応づけられている。また、高い光吸収率に対しては低い噴射デューティが対応づけられている。
【００６０】
このようにして、媒体の単位面積毎にクリアインクＣｌの噴射デューティが求められる。そして、前述の分版処理及びクリアインクＣｌの噴射デューティに応じて印刷が行われる（Ｓ１０８）。具体的には、ヘッド４１が移動させられ、メタリックインクＭｅが噴射される。そして、メタリック層が形成される。なお、ここでは説明の容易のために、媒体の全面にメタリック層が形成されるものとする。
【００６１】
さらに、ヘッド４１が移動させられカラーインクＣｏが噴射されることで、メタリック層上にカラー画像が形成される。また、さらにヘッド４１が移動させられ、カラー画像上に求められた噴射デューティに応じてクリアインクＣｌが噴射される。
【００６２】
このようにすることで、光吸収率が低いカラーインク上には多くのクリアインクＣｌを噴射することができる。そして、正反射光量を増加させて、複写が行いにくいセキュリティの高い印刷物を提供することができる。
【００６３】
＝＝＝その他の実施の形態＝＝＝
前述の実施形態では、光吸収率の低いカラーインク上ではクリアインクＣｌをレベリングさせる一方、光吸収率の高いカラーインク上ではクリアインクＣｌをドット形状で硬化させた。そして、カラーインク上におけるクリアインクＣｌの形状は、噴射するクリアインクの量を調整することによって実現されていた。しかしながら、クリアインクＣｌの形状はこれ以外の手法によっても異ならせることができる。
【００６４】
例えば、使用するクリアインクＣｌを紫外線硬化型のインクとし、さらに紫外線照射装置を設けることとすることができる。これにより、カラーインク上に着弾したクリアインクＣｌ同士が一体化するのを待ってから紫外線が照射されれば、クリアインクＣｌはレベリングされる。一方、カラーインク上に着弾したクリアインクＣｌ同士が一体化する前に紫外線が照射されれば、クリアインク同士がレベリングせず、離間した状態で硬化することとなる。
【００６５】
上述の実施形態では、印刷としてプリンター１が説明されていたが、これに限られるものではなくインク以外の他の流体（液体や、機能材料の粒子が分散されている液状体、ジェルのような流状体）を噴射したり吐出したりする液体吐出装置に具現化することもできる。例えば、カラーフィルタ製造装置、染色装置、微細加工装置、半導体製造装置、表面加工装置、三次元造形機、気体気化装置、有機ＥＬ製造装置（特に高分子ＥＬ製造装置）、ディスプレイ製造装置、成膜装置、ＤＮＡチップ製造装置などのインクジェット技術を応用した各種の装置に、上述の実施形態と同様の技術を適用してもよい。また、これらの方法や製造方法も応用範囲の範疇である。
【００６６】
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００６７】
＜ヘッドについて＞
前述の実施形態では、圧電素子を用いてインクを噴射していた。しかし、液体を噴射する方式は、これに限られるものではない。例えば、熱によりノズル内に泡を発生させる方式など、他の方式を用いてもよい。
【符号の説明】
【００６８】
１  インクジェットプリンター、
１０  装填部、
２４  排出ローラー、２５ａ  ギザローラー、２５ｂ  コロローラー、２６  搬送路、
４０  記録ユニット、４１  ヘッド、４２  トップカバー、
４３  キャリッジ、４４  フロントカバー、
６１  カッター装置、６２  規制部材、６３  カッターユニット、
７０  脚部、
８０  操作パネル、８２  スイッチ、８４  表示部、
９０  筐体、
Ｒ  ロール、
Ｍ  媒体
【図１】
0005929265.tif 000002
【図２】
0005929265.tif 000003
【図３】
0005929265.tif 000004
【図４】
0005929265.tif 000005
【図５】
0005929265.tif 000006
【図６】
0005929265.tif 000007
【図７】
0005929265.tif 000008
【図８】
0005929265.tif 000009
【図９】
0005929265.tif 000010
【図１０】
0005929265.tif 000011